(57)【特許請求の範囲】
【請求項１】
モバイル通信ネットワーク（１００）のハンドオーバ機能を発見するための方法であって、前記モバイル通信ネットワーク（１００）はコアネットワーク（１２０）及び無線アクセスネットワーク（１１０）を備え、ユーザ装置（２０）が第１の無線アクセス技術を使用して前記モバイル通信ネットワーク（１００）に接続可能であり、前記ユーザ装置（２０）は第２の無線アクセス技術を使用して前記モバイル通信ネットワーク（１００）に接続可能であり、前記方法は、
前記ユーザ装置（２０）が前記モバイル通信ネットワーク（１００）からハンドオーバ機能情報を受信し、且つ前記ユーザ装置（２０）は前記コアネットワーク（１２０）と通信するために前記第１の無線アクセス技術又は前記第２の無線アクセス技術を使用するステップ、
前記第１の無線アクセス技術を使用している場合、前記ユーザ装置（２０）は、前記モバイル通信ネットワーク（１００）から受信した前記ハンドオーバ機能情報が前記第１の無線アクセス技術から前記第２の無線アクセス技術へのハンドオーバをサポートする前記モバイル通信ネットワークの機能を示す場合にのみ、前記第１の無線アクセス技術から前記第２の無線アクセス技術へのハンドオーバを開始するステップ、及び／又は
前記第２の無線アクセス技術を使用している場合、前記ユーザ装置（２０）は、前記モバイル通信ネットワーク（１００）から受信した前記ハンドオーバ機能情報が前記第２の無線アクセス技術から前記第１の無線アクセス技術へのハンドオーバをサポートする前記モバイル通信ネットワーク（１００）の機能を示す場合にのみ、前記第２の無線アクセス技術から前記第１の無線アクセス技術へのハンドオーバを開始するステップ
を含み、
前記ハンドオーバ機能情報は、管理オブジェクト（ＭＯ）に含まれ、前記管理オブジェクトのパラメータが装置管理を使用して無線で構成される、方法。
【請求項２】
前記第１の無線アクセス技術は前記モバイル通信ネットワーク（１００）の無線アクセスネットワーク（１１０）のロング・ターム・エボリューション（ＬＴＥ）アクセス技術であり、前記第２の無線アクセス技術は無線アクセスポイント（１３０）の無線ローカルエリアネットワーク（ＷＬＡＮ）アクセス技術である、請求項１に記載の方法。
【請求項３】
前記無線アクセスポイント（１３０）は、外部パケットデータネットワーク（１４０）を介して前記モバイル通信ネットワーク（１００）に接続される、請求項２に記載の方法。
【請求項４】
前記無線ローカルエリアネットワーク（ＷＬＡＮ）アクセス技術は、ＷｉＦｉアクセス技術である、請求項２又は３に記載の方法。
【請求項５】
前記管理オブジェクト（ＭＯ）は、インターネット・マルチメディア・サブシステム（ＩＭＳ）管理オブジェクトであり、前記装置管理は、オープン・モバイル・アライアンス装置管理（ＯＭＡ  ＤＭ）プロトコルである、請求項１に記載の方法。
【請求項６】
前記ユーザ装置（２０）は、動的発見プロシージャの開始に応じて、前記モバイル通信ネットワーク（１００）からハンドオーバ機能情報を受信する、請求項１〜５の何れか１項に記載の方法。
【請求項７】
前記モバイル通信ネットワーク（１００）の前記コアネットワーク（１２０）と前記ユーザ装置（２０）の通信のために、動的発見プロシージャが無線アクセスポイント（１３０）への前記ユーザ装置（２０）のアタッチ中に開始され、無線アクセスポイント（１３０）の無線ローカルエリアネットワーク（ＷＬＡＮ）アクセス技術が前記アタッチ中に使用される、請求項１〜６の何れか１項に記載の方法。
【請求項８】
インターネット鍵交換（２００）プロトコルが前記コアネットワーク（１２０）のエボルブド・パケット・データ・ゲートウェイ（ｅＰＤＧ）（１２３）から前記ユーザ装置（２０）に前記ハンドオーバ機能情報を送信するために使用される、請求項７に記載の方法。
【請求項９】
前記モバイル通信ネットワーク（１００）の前記コアネットワーク（１２０）と前記ユーザ装置（２０）の通信のために、発見プロシージャが前記無線アクセスネットワーク（１１０）への前記ユーザ装置（２０）のアタッチ中に開始され、前記無線アクセスネットワーク（１１０）のロング・ターム・エボリューション（ＬＴＥ）アクセス技術がアタッチ中に使用される、請求項１〜８の何れか１項に記載の方法。
【請求項１０】
ＡＴＴＡＣＨ  ＡＣＣＥＰＴメッセージが前記モバイル通信ネットワーク（１００）から前記ユーザ装置（２０）にハンドオーバ機能情報を送信するために使用される、請求項９に記載の方法。
【請求項１１】
前記モバイル通信ネットワーク（１００）への前記ユーザ装置（２０）のアタッチの後で発見プロシージャが前記ユーザ装置（２０）によって開始され、発見プロシージャは、前記ユーザ装置（２０）から前記モバイル通信ネットワーク（１００）にハンドオーバ機能情報に対する要求を送信することを含み、
前記ハンドオーバ機能情報は、前記第１の無線アクセス技術から前記第２の無線アクセス技術へのハンドオーバをサポートするための前記モバイル通信ネットワーク（１００）の機能に関連し、及び／又は
前記ハンドオーバ機能情報は、前記第２の無線アクセス技術から前記第１の無線アクセス技術へのハンドオーバをサポートするための前記モバイル通信ネットワーク（１００）の機能に関連する、請求項１〜１０の何れか１項に記載の方法。
【請求項１２】
モバイル通信ネットワーク（１００）のハンドオーバ機能を発見するためのシステムであって、前記モバイル通信ネットワーク（１００）はコアネットワーク（１２０）及び無線アクセスネットワーク（１１０）を備え、前記システムは前記モバイル通信ネットワーク（１００）、外部パケットデータネットワーク（１４０）を介して前記コアネットワーク（１２０）に接続される無線アクセスポイント（１３０）、及びユーザ装置（１２０）を備え、前記ユーザ装置（２０）は第１の無線アクセス技術を使用して前記モバイル通信ネットワーク（１００）に接続可能であり、前記ユーザ装置（２０）は第２の無線アクセス技術を使用して前記モバイル通信ネットワーク（１００）に接続可能であり、前記モバイル通信ネットワーク（１００）はハンドオーバ機能情報を前記ユーザ装置（２０）に送信するように構成され、
前記ユーザ装置（２０）が前記モバイル通信ネットワーク（１００）の前記コアネットワーク（１２０）との通信のために前記第１の無線アクセス技術を使用する場合、前記ユーザ装置（２０）は、前記モバイル通信ネットワーク（１００）から受信した前記ハンドオーバ機能情報が前記第１の無線アクセス技術から前記第２の無線アクセス技術へのハンドオーバをサポートする前記モバイル通信ネットワーク（１００）の機能を示す場合にのみ、前記第１の無線アクセス技術から前記第２の無線アクセス技術へのハンドオーバを開始し、及び／又は
前記ユーザ装置（２０）が前記モバイル通信ネットワーク（１００）の前記コアネットワーク（１２０）との通信のために前記第２の無線アクセス技術を使用する場合、前記ユーザ装置（２０）は、前記モバイル通信ネットワーク（１００）から受信した前記ハンドオーバ機能情報が前記第２の無線アクセス技術から前記第１の無線アクセス技術へのハンドオーバをサポートする前記モバイル通信ネットワーク（１００）の機能を示す場合にのみ、前記第２の無線アクセス技術から前記第１の無線アクセス技術へのハンドオーバを開始し、
前記ハンドオーバ機能情報は、管理オブジェクト（ＭＯ）に含まれ、前記管理オブジェクトのパラメータが装置管理を使用して無線で構成される、システム。
【請求項１３】
前記第１の無線アクセス技術は前記モバイル通信ネットワーク（１１０）の前記無線アクセスネットワーク（１１０）のロング・ターム・エボリューション（ＬＴＥ）アクセス技術であり、前記第２の無線アクセス技術は無線アクセスポイント（１３０）の無線ローカルエリアネットワーク（ＷＬＡＮ）アクセス技術である、請求項１２に記載のシステム。
【請求項１４】
前記無線アクセスポイント（１３０）は、外部パケットデータネットワーク（１４０）を介して前記モバイル通信ネットワーク（１００）に接続される、請求項１３に記載のシステム。
【請求項１５】
前記無線ローカルエリアネットワーク（ＷＬＡＮ）アクセス技術は、ＷｉＦｉアクセス技術である、請求項１３又は１４に記載のシステム。
【請求項１６】
モバイル通信ネットワークのハンドオーバ機能を発見するためのユーザ装置（２０）であって、前記モバイル通信ネットワーク（１００）はコアネットワーク（１２０）及び無線アクセスネットワーク（１１０）を備え、前記ユーザ装置（２０）は第１の無線アクセス技術を使用して前記モバイル通信ネットワーク（１００）に接続可能であり、前記ユーザ装置（２０）は第２の無線アクセス技術を使用して前記モバイル通信ネットワーク（１００）に接続可能であり、前記ユーザ装置（２０）は、前記モバイル通信ネットワーク（１００）からハンドオーバ機能情報を受信するように構成され、前記ユーザ装置（２０）が前記モバイル通信ネットワーク（１００）の前記コアネットワーク（１２０）との通信のために前記第１の無線アクセス技術を使用する場合、前記ユーザ装置（２０）は、前記モバイル通信ネットワーク（１００）から受信した前記ハンドオーバ機能情報が前記第１の無線アクセス技術から前記第２の無線アクセス技術へのハンドオーバをサポートする前記モバイル通信ネットワーク（１００）の機能を示す場合にのみ、前記第１の無線アクセス技術から前記第２の無線アクセス技術へのハンドオーバを開始し、及び／又は
前記ユーザ装置（２０）が前記モバイル通信ネットワーク（１００）の前記コアネットワーク（１２０）との通信のために前記第２の無線アクセス技術を使用する場合、前記ユーザ装置（２０）は、前記モバイル通信ネットワーク（１００）から受信した前記ハンドオーバ機能情報が前記第２の無線アクセス技術から前記第１の無線アクセス技術へのハンドオーバをサポートする前記モバイル通信ネットワーク（１００）の機能を示す場合にのみ、前記第２の無線アクセス技術から前記第１の無線アクセス技術へのハンドオーバを開始し、
前記ハンドオーバ機能情報は、管理オブジェクト（ＭＯ）に含まれ、前記管理オブジェクトのパラメータが装置管理を使用して無線で構成される、ユーザ装置（２０）。
【請求項１７】
モバイル通信ネットワーク（１００）のハンドオーバ機能を発見するためのコンピュータプログラムであって、請求項１〜１１の何れか１項に記載の方法を実行するためのコンピュータ可読プログラムコードを含む、コンピュータプログラム。
【請求項１８】
請求項１７に記載のコンピュータプログラムが記憶されているコンピュータ記憶媒体。
【発明の詳細な説明】
【技術分野】
【０００１】
本発明は、モバイル通信ネットワークのハンドオーバ機能を発見するための方法に関し、ユーザ装置が第１の無線アクセス技術を使用してモバイル通信ネットワークに接続可能であり、ユーザ装置は第２の無線アクセス技術を使用してモバイル通信ネットワークに接続可能である。
【０００２】
更に、本発明は、モバイル通信ネットワークのハンドオーバ機能を発見するシステムに関し、システムはモバイル通信ネットワーク、外部パケットデータネットワークを介してコアネットワークに接続される無線アクセスポイント、及びユーザ装置を備え、ユーザ装置は第１の無線アクセス技術を使用してモバイル通信ネットワークに接続可能であり、ユーザ装置は第２の無線アクセス技術を使用してモバイル通信ネットワークに接続可能である。
【０００３】
更に、本発明は、モバイル通信ネットワークのハンドオーバ機能を発見するための、ユーザ装置、コンピュータプログラム、及びコンピュータプログラム製品に関する。
【０００４】
本発明は、一般に、モバイル通信ネットワークに、ＷｉＦｉアクセスとも呼ばれる、無線ローカルエリアネットワーク（ＷＬＡＮ）を介してモバイル通信ネットワークにアタッチされるユーザ装置に関する。
【背景技術】
【０００５】
モバイル端末は、無線ネットワークを介してモバイル通信ネットワークのコアネットワークへのアクセスを取得してもよい。「無線コーリング（Ｗｉｒｅｌｅｓｓ  Ｃａｌｌｉｎｇ）」又は「ＷｉＦｉコーリング」は、無線ローカルエリアネットワーク（ＷＬＡＮ）又はＷｉＦｉネットワークがモバイル通信ネットワークへのモバイルアクセスに使用される場合に関する。この場合、モバイル通信ネットワークのモバイルサービスは、ＷｉＦｉネットワークを介してモバイル端末に提供される。こうしたモバイルサービスは、モバイル通信ネットワークのインターネット・マルチメディア・サブシステム（ＩＭＳ）サービス及び／又はセッション・イニシエーション・プロトコル（ＳＩＰ）サービス等の音声、データ及びマルチメディアサービスを含んでもよい。インターネット・マルチメディア・サブシステム（ＩＭＳ）に基づく、任意のＷｉＦｉネットワークであり得る信頼できないＷｉＦｉ上のＷｉＦｉコーリングは、ＧＳＭＡ  ＰＲＤ  ＩＲ．５１及び３ＧＰＰ  ＴＳ２３．４０２において定められている。
【０００６】
典型的には、本明細書でユーザ装置とも呼ばれるモバイル端末は、ハンドオーバのためのネットワークサポートの存在についての情報が欠如している。これは、特に、ハンドオーバのためのネットワークサポートの欠如にも関わらずユーザ装置がハンドオーバプロシージャを開始し続ける場合に接続失敗をもたらし得る。
【発明の概要】
【０００７】
本発明の目的は、モバイルサービスがユーザ装置によって使用されるときに、特に、ユーザ装置がモバイル通信ネットワークのアクセスネットワークを介してモバイルサービスに接続される場合又はＷｉＦｉコーリングユーザ装置が無線ネットワークを介してモバイルサービスに接続される場合に、ユーザ装置とモバイル通信ネットワークとの間の接続性に関してユーザの利便性及び信頼性を改善することである。
【０００８】
本発明の目的は、モバイル通信ネットワークのハンドオーバ機能を発見する方法によって達成され、ここでモバイル通信ネットワークはコアネットワーク及び無線アクセスネットワークを備え、ユーザ装置が第１の無線アクセス技術を使用してモバイル通信ネットワークに接続可能であり、ユーザ装置は第２の無線アクセス技術を使用してモバイル通信ネットワークに接続可能であり、この方法は、以下のステップ、即ち、−−ユーザ装置がモバイル通信ネットワークからハンドオーバ機能情報を受信し、且つユーザ装置がコアネットワークと通信するために第１又は第２の無線アクセス技術を使用するステップ、−−第１の無線アクセス技術を使用している場合、ユーザ装置は、モバイル通信ネットワークから受信したハンドオーバ機能情報が第１の無線アクセス技術から第２の無線アクセス技術へのハンドオーバをサポートするモバイル通信ネットワークの機能を示す場合にのみ、第１の無線アクセス技術から第２の無線アクセス技術へのハンドオーバを開始するステップ、及び／又は−−第２の無線アクセス技術を使用している場合、ユーザ装置は、モバイル通信ネットワークから受信したハンドオーバ機能情報が第２の無線アクセス技術から第１の無線アクセス技術へのハンドオーバをサポートするモバイル通信ネットワークの機能を示す場合にのみ、第２の無線アクセス技術から第１の無線アクセス技術へのハンドオーバを開始するステップを含む。
【０００９】
それによって、本発明によれば、ユーザ装置に対して、特に、ＷｉＦｉ（Ｗｉｒｅｌｅｓｓ  Ｆｉｄｅｌｉｔｙ）コーリング端末に対して、設計作業を減らすことが有利に可能になる。本発明によれば、無線ネットワークは、好ましくは、無線ローカルエリアネットワーク（ＷＬＡＮ）、より好ましくは、ＷｉＦｉネットワークである。無線ネットワークのハンドオーバ機能を発見することによって、無線ネットワークがハンドオーバをサポートしない場合に、ＷｉＦｉコーリングに対してハンドオーバを常にリトライすることが防がれるので、ユーザ装置のエネルギ消費が改善される。
【００１０】
本発明によれば、「ハンドオーバ」は、アクセス間で移動する場合にインターネットプロトコル（ＩＰ）アドレスを保持するための機能（例えば、ある無線アクセス技術から別の無線アクセス技術に変更している間及び変更した後のインターネットプロトコル（ＩＰ）アドレスを保持するための機能）、及びアクセス間で既存のコールを移動させるための機能（例えば、途切れること無く又は絶え間なく１つの無線アクセス技術から別の無線アクセス技術に既存のコールを転送するための機能）を意味することが好ましい。
【００１１】
本発明によれば、ディスカバリ手続きが、（モバイル通信）ネットワークがロング・ターム・エボリューション（ＬＴＥ）とＷｉＦｉとの間のハンドオーバをサポートするかどうかをユーザ装置が発見するための動的プロシージャであることが好ましく、これは、ユーザ装置によって、（モバイル通信）ネットワークからハンドオーバ機能指示（ハンドオーバ機能情報）を受信するステップを含む。それによって、ユーザ装置は、（モバイル通信）ネットワークがハンドオーバをサポートすることを（モバイル通信）ネットワークが示した場合にのみハンドオーバを開始する。
【００１２】
本発明によれば、「モバイル通信ネットワークから受信したハンドオーバ機能情報が、モバイル通信ネットワークが第１／第２の無線アクセス技術から第２／第１の無線アクセス技術へのハンドオーバをサポートするための機能を示す」とは、ハンドオーバ機能情報が、モバイル通信ネットワークが各ハンドオーバをサポートすること（例えば、「ハンドオーバ対応」）を明示的に示すことを意味する。代替的に、ハンドオーバ機能情報は、モバイル通信ネットワークが各ハンドオーバをサポートしていないこと（ハンドオーバ非対応）の指示が欠如している又は無いということで、各ハンドオーバをサポートするためのモバイル通信ネットワークの機能を暗示的に示してもよい。
【００１３】
本発明によれば、無線アクセスネットワークのロング・ターム・エボリューション（ＬＴＥ）アクセス技術と無線アクセスポイントの無線ローカルエリアネットワーク（ＷＬＡＮ）アクセス技術との間のハンドオーバをサポートするためのモバイル通信ネットワークの機能に関し、無線アクセスポイントは外部パケットデータネットワークを介してモバイル通信ネットワークに接続され、無線ローカルエリアネットワーク（ＷＬＡＮ）アクセス技術は、好ましくは、ＷｉＦｉアクセス技術である。好ましくは、無線アクセスネットワークのロング・ターム・エボリューション（ＬＴＥ）アクセス技術と無線アクセスネットワークの無線ローカルエリアネットワーク（ＷＬＡＮ）アクセス技術との「間」のハンドオーバをサポートするためのモバイル通信ネットワークの機能は、−−ＬＴＥアクセス技術からＷＬＡＮ技術へのハンドオーバのみをサポートすること、又は−−ＷＬＡＮアクセス技術からＬＴＥアクセス技術へのハンドオーバのみをサポートすること、又は−−ＬＴＥアクセス技術からＷＬＡＮアクセス技術への及びＷＬＡＮアクセス技術からＬＴＥアクセス技術へのハンドオーバの両方をサポートすることのためのモバイル通信ネットワークの機能に関する。
【００１４】
本発明によれば、ハンドオーバ機能情報がアクセス依存であるか、即ちこれは、特に、ハンドオーバ機能情報が現在使用されているネットワークから他方へのハンドオーバをサポートするための機能を示すことを意味し、又はハンドオーバ機能情報がアクセス独立である、即ちこれは、特に、機能情報が全ての可能性を示すことを意味することが好ましい（即ち、ハンドオーバ機能情報は、ネットワークが第１から第２のアクセス技術へのハンドオーバのみをサポートするための機能を有するかどうか、ネットワークが第２から第１のアクセス技術へのハンドオーバのみをサポートするための機能を有するかどうか、又はネットワークが第１から第２の及び第２から第３のアクセス技術へのハンドオーバの両方をサポートするための機能を有するかどうかの情報を含む）。
【００１５】
本発明によれば、第１の無線アクセス技術はモバイル通信ネットワークの無線アクセスネットワークのロング・ターム・エボリューション（ＬＴＥ）アクセス技術であり、第２の無線アクセス技術は無線アクセスポイントの無線ローカルエリアネットワーク（ＷＬＡＮ）アクセス技術であることが好ましい。
【００１６】
本発明によれば、それによって、モバイルサービスが無線アクセス技術の変化に応じて（即ち、ＬＴＥアクセス技術からＷＬＡＮアクセス技術又はその逆に）信頼できない無線ローカルエリアネットワークを介して確実に提供されることが有利に可能になり、接続失敗を防いで、途切れることの無い又は不要なバッテリ消費の無いモバイルサービスの転送が保証され得る。
【００１７】
本発明によれば、ハンドオーバが双方向に可能である場合、これは即ち、例えば、ネットワークが第１から第２の無線アクセス技術への（例えば、ＷｉＦｉからＬＴＥへの）及び第２から第１の無線アクセス技術への（例えば、ＬＴＥからＷｉＦｉへの）ハンドオーバをサポートすることを意味しており、ハンドオーバ機能情報は、ハンドオーバが双方向に可能であるという情報、これは即ち、例えば、ネットワークがＷｉＦｉからＬＴＥへの及びＬＴＥからＷｉＦｉへのハンドオーバをサポートするという情報を含むことが好ましい。
【００１８】
例示的な実施形態によれば、ネットワークがＷｉＦｉからＬＴＥ無線アクセス技術へのハンドオーバ及びＬＴＥからＷｉＦｉ無線アクセス技術へのハンドオーバをサポートすることが好ましい。この場合、ハンドオーバ機能情報は、ＷｉＦｉからＬＴＥ無線アクセス技術へのハンドオーバが可能であること、及びＬＴＥからＷｉＦｉ無線アクセス技術へのハンドオーバが可能であることの情報を含む。従って、ユーザ装置は、ＷｉＦｉからＬＴＥ無線アクセス技術へのハンドオーバのためのネットワークサポート及びＬＴＥからＷｉＦｉ無線アクセス技術へのハンドオーバのためのネットワークサポートを発見する。本発明によれば、ＷｉＦｉ無線アクセス技術を使用している場合（例えば、最初に又は別の無線アクセス技術からＷｉＦｉ無線アクセス技術へのハンドオーバの後で）、ユーザ装置は、発見されたハンドオーバ機能がネットワークがＷｉＦｉからＬＴＥ無線アクセス技術へのハンドオーバをサポートすることを示す場合にのみ、ＷｉＦｉからＬＴＥ無線アクセス技術へのハンドオーバを開始する。ここで、モバイル通信ネットワークはＷｉＦｉからＬＴＥ無線アクセス技術へのハンドオーバをサポートし、ハンドオーバ機能情報は、ネットワークがＷｉＦｉからＬＴＥ無線アクセス技術へのハンドオーバをサポートすることの指示を含む。このように、発見されたハンドオーバ機能がネットワークがＷｉＦｉからＬＴＥ無線アクセス技術へのハンドオーバをサポートすることを示す場合、ＷｉＦｉからＬＴＥへのハンドオーバがユーザ装置によって開始される。代替的に、例えば、ハンドオーバ機能情報が何も示さない又は誤情報を示して、（モバイル通信ネットワークがＷｉＦｉからＬＴＥへのハンドオーバをサポートするが）ユーザ装置がＷｉＦｉからＬＴＥ無線アクセス技術へのハンドオーバのためのネットワークサポートを発見しないという状況が起こるかもしれない。このシナリオでは、ユーザ装置は、モバイル通信ネットワークがＷｉＦｉからＬＴＥ無線アクセス技術へのハンドオーバをサポートするというユーザ装置内に存在する情報の欠如のために、ＷｉＦｉからＬＴＥへのハンドオーバの開始を防ぐ。それによって、ハンドオーバの試行の失敗による接続失敗及び／又はバッテリ消耗を防ぐことが有利に可能になる。本発明によれば、ＬＴＥ無線アクセス技術を使用している場合（例えば、最初に又は別の無線アクセス技術からＬＴＥ無線アクセス技術へのハンドオーバの後で）、ユーザ装置は、発見されたハンドオーバ機能がネットワークがＬＴＥからＷｉＦｉ無線アクセス技術へのハンドオーバをサポートすることを示す場合にのみ、ＬＴＥからＷｉＦｉ無線アクセス技術へのハンドオーバを開始する。ここで、モバイル通信ネットワークは、ＷｉＦｉからＬＴＥ無線アクセス技術へのハンドオーバのためのサポートに加えて、ＬＴＥからＷｉＦｉ無線アクセス技術へのハンドオーバをサポートし、ハンドオーバ機能情報は、モバイル通信ネットワークがＬＴＥからＷｉＦｉ無線アクセス技術へのハンドオーバをサポートすることの情報を含む。このように、発見されたハンドオーバ機能がネットワークがＬＴＥからＷｉＦｉへのハンドオーバをサポートすることを示す場合、ＬＴＥからＷｉＦｉ無線アクセス技術へのハンドオーバがユーザ装置によって開始される。代替的に、例えば、ハンドオーバ機能情報が何も示さない又は誤情報を示して、（モバイル通信ネットワークはＬＴＥからＷｉＦｉへのハンドオーバをサポートするが）ユーザ装置がＬＴＥからＷｉＦｉ無線アクセス技術へのハンドオーバのためのネットワークサポートを発見しないという状況が起こるかもしれない。このシナリオでは、ユーザ装置は、モバイル通信ネットワークがＬＴＥからＷｉＦｉ無線アクセス技術へのハンドオーバをサポートするというユーザ装置内に存在する情報の欠如のために、ＬＴＥからＷｉＦへのハンドオーバの開始を防ぐ。それによって、ハンドオーバの試行の失敗による接続失敗及び／又はバッテリ消耗を防ぐことが有利に可能になる。
【００１９】
本発明によれば、ハンドオーバが２方向の内の一方のみにサポートされている場合、これは即ち、例えば、ネットワークがＬＴＥからＷｉＦｉへの又はＷｉＦｉからＬＴＥへのハンドオーバの何れかのみをサポートすることを意味しており、ユーザ装置は、２方向の内の一方のためのネットワークサポートを発見し、好ましくは、ネットワークが２方向の内の他方へのハンドオーバもサポートすることの情報（特に、ハンドオーバ機能情報）をユーザ装置が欠いている限り、２方向の内の他方へのハンドオーバの開始を防ぐことが更に好ましい。
【００２０】
更なる例示的な実施形態によれば、ネットワークがＷｉＦｉからＬＴＥ無線アクセス技術へのハンドオーバのみをサポートすることが好ましい。この場合、ハンドオーバ機能情報は、ＷｉＦｉからＬＴＥ無線アクセス技術へのハンドオーバが可能であることの情報を含むが、ＬＴＥからＷｉＦｉ無線アクセス技術へのハンドオーバが可能であることの情報を欠いている。従って、ユーザ装置は、ＷｉＦｉからＬＴＥ無線アクセス技術へのハンドオーバのためのみのネットワークサポートを発見する。本発明によれば、ＷｉＦｉ無線アクセス技術を使用している場合、ユーザ装置は、発見されたハンドオーバ機能がネットワークがＷｉＦｉからＬＴＥ無線アクセス技術へのハンドオーバをサポートすることを示す場合にのみ、ＷｉＦｉからＬＴＥ無線アクセス技術へのハンドオーバを開始する。ここで、モバイル通信ネットワークはＷｉＦｉからＬＴＥ無線アクセス技術へのハンドオーバをサポートし、ハンドオーバ機能情報は、ネットワークがＷｉＦｉからＬＴＥ無線アクセス技術へのハンドオーバをサポートすることの指示を含む。このように、発見されたハンドオーバ機能がネットワークがＷｉＦｉからＬＴＥ無線アクセス技術へのハンドオーバをサポートすることを示す場合、ＷｉＦｉからＬＴＥ無線アクセス技術へのハンドオーバがユーザ装置によって開始される。代替的に、例えば、ハンドオーバ機能情報が何も示さない又は誤情報を示して、（モバイル通信ネットワークはＷｉＦｉからＬＴＥへのハンドオーバをサポートするが）ユーザ装置がＷｉＦｉからＬＴＥ無線アクセス技術へのハンドオーバのためのネットワークサポートを発見しないという状況が起こるかもしれない。このシナリオでは、ユーザ装置は、モバイル通信ネットワークがＷｉＦｉからＬＴＥ無線アクセス技術へのハンドオーバをサポートするというユーザ装置内に存在する情報の欠如のために、ＷｉＦｉからＬＴＥ無線アクセス技術へのハンドオーバの開始を防ぐ。それによって、ハンドオーバの試行の失敗による接続失敗及び／又はバッテリ消耗を防ぐことが有利に可能になる。本発明によれば、ＬＴＥ無線アクセス技術を使用している場合（例えば、最初に又はＷｉＦｉからＬＴＥ無線アクセス技術へのハンドオーバの後で）、ユーザ装置は、発見されたハンドオーバ機能がネットワークがＬＴＥからＷｉＦｉ無線アクセス技術へのハンドオーバをサポートすることを示す場合にのみ、ＬＴＥからＷｉＦｉ無線アクセス技術へのハンドオーバを開始する。ここで、モバイル通信ネットワークは、ＬＴＥからＷｉＦｉ無線アクセス技術へのハンドオーバのためのサポートを欠いており、ハンドオーバ機能情報は、モバイル通信ネットワークがＬＴＥからＷｉＦｉ無線アクセス技術へのハンドオーバをサポートすることの情報を欠いている。このように、ハンドオーバ機能情報がネットワークがＬＴＥからＷｉＦｉへのハンドオーバをサポートすることを示さない場合、ユーザ装置は、ＬＴＥからＷｉＦｉ無線アクセス技術へのハンドオーバを防ぐ。それによって、ハンドオーバの試行の失敗による接続失敗及び／又はバッテリ消耗を防ぐことが有利に可能になる。
【００２１】
更なる例示的な実施形態によれば、ネットワークがＬＴＥからＷｉＦｉ無線アクセス技術へのハンドオーバのみをサポートすることが好ましい。この場合、ハンドオーバ機能情報は、ＬＴＥからＷｉＦｉ無線アクセス技術へのハンドオーバが可能であることの情報を含むが、ＷｉＦｉからＬＴＥ無線アクセス技術へのハンドオーバが可能であることの情報を欠いている。従って、ユーザ装置は、ＬＴＥからＷｉＦｉ無線アクセス技術へのハンドオーバのためのみのネットワークサポートを発見する。本発明によれば、ＬＴＥ無線アクセス技術を使用している場合、ユーザ装置は、発見されたハンドオーバ機能がネットワークがＬＴＥからＷｉＦｉ無線アクセス技術へのハンドオーバをサポートすることを示す場合にのみ、ＬＴＥからＷｉＦｉ無線アクセス技術へのハンドオーバを開始する。ここで、モバイル通信ネットワークはＬＴＥからＷｉＦｉ無線アクセス技術へのハンドオーバをサポートし、ハンドオーバ機能情報は、ネットワークがＬＴＥからＷｉＦｉ無線アクセス技術へのハンドオーバをサポートすることの指示を含む。このように、発見されたハンドオーバ機能がネットワークがＬＴＥからＷｉＦｉ無線アクセス技術へのハンドオーバをサポートすることを示す場合、ＬＴＥからＷｉＦｉ無線アクセス技術へのハンドオーバがユーザ装置によって開始される。代替的に、例えば、ハンドオーバ機能情報が何も示さない又は誤情報を示して、（モバイル通信ネットワークはＬＴＥからＷｉＦｉへのハンドオーバをサポートするが）ユーザ装置がＬＴＥからＷｉＦｉ無線アクセス技術へのハンドオーバのためのネットワークサポートを発見しないという状況が起こるかもしれない。このシナリオでは、ユーザ装置は、モバイル通信ネットワークがＬＴＥからＷｉＦｉ無線アクセス技術へのハンドオーバをサポートするというユーザ装置内に存在する情報の欠如のために、ＬＴＥからＷｉＦへのハンドオーバの開始を防ぐ。それによって、ハンドオーバの試行の失敗による接続失敗及び／又はバッテリ消耗を防ぐことが有利に可能になる。本発明によれば、ＷｉＦｉ無線アクセス技術を使用している場合（例えば、最初に又はＬＴＥ無線アクセス技術からＷｉＦｉ無線アクセス技術へのハンドオーバの後で）、ユーザ装置は、発見されたハンドオーバ機能がネットワークがＷｉＦｉからＬＴＥ無線アクセス技術へのハンドオーバをサポートすることを示す場合にのみ、ＷｉＦｉからＬＴＥ無線アクセス技術へのハンドオーバを開始する。ここで、モバイル通信ネットワークは、ＷｉＦｉからＬＴＥ無線アクセス技術へのハンドオーバのためのサポートを欠いており、ハンドオーバ機能情報は、モバイル通信ネットワークがＷｉＦｉからＬＴＥ無線アクセス技術へのハンドオーバをサポートすることの情報を欠いている。このように、ハンドオーバ機能情報がネットワークがＷｉＦｉからＬＴＥへのハンドオーバをサポートすることを示さない場合、ユーザ装置は、ＷｉＦｉからＬＴＥ無線アクセス技術へのハンドオーバを防ぐ。それによって、ハンドオーバの試行の失敗による接続失敗及び／又はバッテリ消耗を防ぐことが有利に可能になる。
【００２２】
更に例示的な実施形態によれば、ネットワークがＷｉＦｉからＬＴＥ無線アクセス技術へのハンドオーバもＬＴＥからＷｉＦｉ無線アクセス技術へのハンドオーバもサポートしないことが好ましい。この場合、ハンドオーバ機能情報は、ＷｉＦｉからＬＴＥ無線アクセス技術へのハンドオーバが可能であることの情報を欠いており、ＬＴＥからＷｉＦｉ無線アクセス技術へのハンドオーバが可能であることの情報も欠いている。従って、ユーザ装置は、ネットワークがＷｉＦｉからＬＴＥへ又はＬＴＥからＷｉＦｉ無線アクセス技術へのハンドオーバをサポートすることを発見することが妨げられる。ユーザ装置がＷｉＦｉ無線アクセス技術を使用している場合では、ユーザ装置は、モバイル通信ネットワークがＷｉＦｉからＬＴＥ無線アクセス技術へのハンドオーバをサポートするというユーザ装置内に存在する情報の欠如のために、ＷｉＦｉからＬＴＥ無線アクセス技術へのハンドオーバの開始を防ぐ。それによって、ハンドオーバの試行の失敗による接続失敗及び／又はバッテリ消耗を防ぐことが有利に可能になる。ユーザ装置がＬＴＥ無線アクセス技術を使用している場合では、ユーザ装置は、モバイル通信ネットワークがＬＴＥからＷｉＦｉ無線アクセス技術へのハンドオーバをサポートするというユーザ装置内に存在する情報の欠如のために、ＬＴＥからＷｉＦへのハンドオーバの開始を防ぐ。それによって、ハンドオーバの試行の失敗による接続失敗及び／又はバッテリ消耗を防ぐことが有利に可能になる。
【００２３】
本発明によれば、無線アクセスポイントが外部パケットデータネットワークを介してモバイル通信ネットワークに接続されることが更に好ましく、無線ローカルエリアネットワーク（ＷＬＡＮ）アクセス技術は、好ましくは、ＷｉＦｉアクセス技術である。
【００２４】
本発明によれば、それによって、無線ローカルエリアネットワークアクセス技術からＬＴＥ無線アクセス技術への変化の間及び後に、（例えば、無線アクセスポイントを介して提供されたモバイルデータ又は電話サービスに関する）インターネットプロトコル（ＩＰ）セッション又は接続を維持することが有利に可能になる。
【００２５】
本発明によれば、ハンドオーバ機能情報が管理オブジェクト（ＭＯ）、好ましくは、インターネット・マルチメディア・サブシステム（ＩＭＳ）管理オブジェクトに含まれ、管理オブジェクトのパラメータが装置管理を使用して、好ましくは、オープン・モバイル・アライアンス装置管理（ＯＭＡ  ＤＭ）プロトコルを使用して無線で構成されることが更に好ましい。
【００２６】
本発明によれば、それによって、ユーザ装置は、オーバー・ザ・エア（ＯＴＡ）構成によってハンドオーバのためのネットワークサポートを発見することができることが有利に可能になる。好ましくは、ＷｉＦｉからＬＴＥへ及びＬＴＥからＷｉＦｉへのハンドオーバ機能のための新しいパラメータセットが、新しい又は既存の管理オブジェクト（ＭＯ）において、例えば、３ＧＰＰ  ＴＳ２４．１６７で定義されているインターネット・マルチメディア・システム管理オブジェクト（ＩＭＳ  ＭＯ）において定義される。次に、パラメータセットの値は、装置管理手段、例えば、ＯＭＡ  ＤＭによって無線で構成される。特に、オーバー・ザ・エア（ＯＴＡ）構成によるハンドオーバのためのネットワークサポートの発見は、本発明による動的発見プロシージャである。ここで、機能情報は、好ましくは、アクセス非依存性である。
【００２７】
本発明によれば、動的発見プロシージャの開始に応じてユーザ装置がモバイル通信ネットワークからハンドオーバ機能情報を受信することが更に好ましい。
【００２８】
本発明によれば、それによって、第１及び第２の無線アクセス技術の間のハンドオーバをサポートするためのモバイル通信ネットワークの機能が、モバイル通信ネットワークのコアネットワーク（例えば、無線ローカルエリアネットワーク（ＷＬＡＮ）アクセス技術を使用する無線アクセスポイント又はロング・ターム・エボリューション（ＬＴＥ）アクセス技術を使用するｅＮｏｄｅＢ）にユーザ装置のアクセスを提供するネットワークへのユーザ装置のアタッチ中に発見される有利に可能になる。
【００２９】
本発明によれば、モバイル通信ネットワークのコアネットワークとユーザ装置の通信のために、動的発見プロシージャが無線アクセスポイントへのユーザ装置のアタッチ中に開始されることが更に好ましく、無線アクセスポイントの無線ローカルエリアネットワーク（ＷＬＡＮ）アクセス技術はアタッチ中に使用され、好ましくは、インターネット鍵交換プロトコルがコアネットワークのエボルブド・パケット・データ・ゲートウェイ（Ｅｖｏｌｖｅｄ  Ｐａｃｋｅｔ  Ｄａｔａ  Ｇａｔｅｗａｙ；ｅＰＤＧ）からユーザ装置にハンドオーバ機能情報を送信するために使用される。
【００３０】
本発明によれば、それによって、例えば、ハンドオーバ機能指示（ハンドオーバ機能情報）を伝達するためのアタッチプロシージャが強化されるという点で、無線ローカルエリアネットワーク（ＷＬＡＮ）アクセス技術を使用する無線アクセスポイントへのユーザ装置のアタッチに応じて動的発見プロシージャが実現されることが有利に可能になる。
【００３１】
本発明によれば、モバイル通信ネットワークのコアネットワークとユーザ装置の通信のために、発見プロシージャが無線アクセスネットワークへのユーザ装置のアタッチ中に開始されることが更に好ましく、無線アクセスネットワークのロング・ターム・エボリューション（ＬＴＥ）アクセス技術がアタッチ中に使用され、好ましくは、ＡＴＴＡＣＨ  ＡＣＣＥＰＴメッセージがモバイル通信ネットワークからユーザ装置にハンドオーバ機能情報を送信するために使用される。
【００３２】
本発明によれば、それによって、例えば、ハンドオーバ機能指示（ハンドオーバ機能情報）を伝達するためのＬＴＥアタッチプロシージャが強化されるという点で、ロング・ターム・エボリューション（ＬＴＥ）無線アクセス技術を使用するモバイル通信ネットワークの無線アクセスネットワークへのユーザ装置のアタッチに応じて動的発見プロシージャが実現されることが有利に可能になる。
【００３３】
本発明によれば、モバイル通信ネットワークへのユーザ装置のアタッチの後で発見プロシージャがユーザ装置によって開始されることが更に好ましく、発見プロシージャは、ユーザ装置からモバイル通信ネットワークにハンドオーバ機能情報に対する要求を送信することを含み、
ハンドオーバ機能情報は、第１の無線アクセス技術から第２の無線アクセス技術へのハンドオーバをサポートするためのモバイル通信ネットワークの機能に関連し、及び／又はハンドオーバ機能情報は、第２の無線アクセス技術から第１の無線アクセス技術へのハンドオーバをサポートするためのモバイル通信ネットワークの機能に関連する。
【００３４】
本発明によれば、それによって、アタッチの後で又はモバイル通信ネットワークのコアネットワークによって提供されるモバイル通信サービスの使用中に、ユーザ装置が第１及び第２の無線アクセス技術の間のハンドオーバをサポートするためのモバイル通信ネットワークの機能を発見することができることが有利に可能になる。
【００３５】
更に、本発明は、モバイル通信ネットワークのハンドオーバ機能を発見するシステムに関し、モバイル通信ネットワークはコアネットワーク及び無線アクセスネットワークを備え、システムはモバイル通信ネットワーク、外部パケットデータネットワークを介してコアネットワークに接続される無線アクセスポイント、及びユーザ装置を備え、ユーザ装置は第１の無線アクセス技術を使用してモバイル通信ネットワークに接続可能であり、ユーザ装置は第２の無線アクセス技術を使用してモバイル通信ネットワークに接続可能であり、モバイル通信ネットワークはハンドオーバ機能情報をユーザ装置に送信するように構成され、ユーザ装置がモバイル通信ネットワークのコアネットワークとの通信のために第１の無線アクセス技術を使用する場合、ユーザ装置は、モバイル通信ネットワークから受信したハンドオーバ機能情報が第１の無線アクセス技術から第２の無線アクセス技術へのハンドオーバをサポートするモバイル通信ネットワークの機能を示す場合にのみ、第１の無線アクセス技術から第２の無線アクセス技術へのハンドオーバを開始し、及び／又はユーザ装置がモバイル通信ネットワークのコアネットワークとの通信のために第２の無線アクセス技術を使用する場合、ユーザ装置は、モバイル通信ネットワークから受信したハンドオーバ機能情報が第２の無線アクセス技術から第１の無線アクセス技術へのハンドオーバをサポートするモバイル通信ネットワークの機能を示す場合にのみ、第２の無線アクセス技術から第１の無線アクセス技術へのハンドオーバを開始する。
【００３６】
それによって、モバイル通信ネットワーク及びユーザ装置を含むシステムを提供することが有利に可能になり、ハンドオーバ機能情報をユーザ装置に送信するようにモバイル通信ネットワークを適応させることによってモバイル通信ネットワークのハンドオーバ機能の発見を可能にする。好ましくは、ハンドオーバ機能情報がモバイル通信ネットワークが各無線アクセス技術間のハンドオーバをサポートすることの情報又は指示を欠いている場合に、ユーザ装置は、特に、既定の時間間隔の間に、ハンドオーバプロシージャの開始を防ぎ及び／又は開始されたハンドオーバプロシージャを中断し及び／又は後続のハンドオーバプロシージャの開始を防ぐように適合される。従って、モバイル通信ネットワークが第１及び第２の無線アクセス技術の間のハンドオーバのサポートを持続的に又は一時的に欠いている場合に、ハンドオーバの試行の失敗によるバッテリ消耗が有利に減らされる。
【００３７】
本発明によれば、第１の無線アクセス技術はモバイル通信ネットワークの無線アクセスネットワークのロング・ターム・エボリューション（ＬＴＥ）アクセス技術であり、第２の無線アクセス技術は無線アクセスポイントの無線ローカルエリアネットワーク（ＷＬＡＮ）アクセス技術であることが好ましい。本発明によれば、無線アクセスポイントが外部パケットデータネットワークを介してモバイル通信ネットワークに接続されることが更に好ましく、無線ローカルエリアネットワーク（ＷＬＡＮ）アクセス技術は、好ましくは、ＷｉＦｉアクセス技術である。
【００３８】
本発明によれば、それによって、システムのモバイル通信ネットワークが無線アクセス技術の変化に応じて（即ち、ＬＴＥアクセス技術からＷＬＡＮアクセス技術又はその逆に）信頼できない無線ローカルエリアネットワークを介してモバイルサービスを確実に提供するように適合されることが有利に可能になり、接続失敗を防いで、途切れることの無い又は不要なバッテリ消費の無いモバイルサービスの転送が保証され得る。従って、無線ローカルエリアネットワークアクセス技術からＬＴＥ無線アクセス技術への又はその逆の変化の間及び後に、（例えば、無線アクセスポイントを介して提供されたモバイルデータ又は電話サービスに関する）インターネットプロトコル（ＩＰ）セッション又は接続を維持することが可能になる。
【００３９】
更に、本発明は、モバイル通信ネットワークのハンドオーバ機能を発見するためのユーザ装置に関し、モバイル通信ネットワークは、コアネットワーク及び無線アクセスネットワークを備え、ユーザ装置は、第１の無線アクセス技術を使用してモバイル通信ネットワークに接続されることが可能であり、ユーザ装置は、第２の無線アクセス技術を使用してモバイル通信ネットワークに接続されることが可能であり、ユーザ装置は、モバイル通信ネットワークからハンドオーバ機能情報を受信するように構成され、ユーザ装置がモバイル通信ネットワークのコアネットワークとの通信のために第１の無線アクセス技術を使用する場合、ユーザ装置は、モバイル通信ネットワークから受信したハンドオーバ機能情報が第１の無線アクセス技術から第２の無線アクセス技術へのハンドオーバをサポートするモバイル通信ネットワークの機能を示す場合にのみ、第１の無線アクセス技術から第２の無線アクセス技術へのハンドオーバを開始し、及び／又はユーザ装置がモバイル通信ネットワークのコアネットワークとの通信のために第２の無線アクセス技術を使用する場合、ユーザ装置は、モバイル通信ネットワークから受信したハンドオーバ機能情報が第２の無線アクセス技術から第１の無線アクセス技術へのハンドオーバをサポートするモバイル通信ネットワークの機能を示す場合にのみ、第２の無線アクセス技術から第１の無線アクセス技術へのハンドオーバを開始する。
【００４０】
それによって、モバイル通信ネットワークのハンドオーバ機能を発見するように適合されるユーザ装置を提供することが有利に可能になり、モバイル通信ネットワークが現在使用されている無線アクセス技術から別の無線アクセス技術へのハンドオーバのためのサポートを欠いている場合に、ユーザ装置は、ハンドオーバプロシージャの開始を防ぐことによって、バッテリ消耗を防ぎ、又は、モバイル通信ネットワークが現在使用されている無線アクセス技術から別の無線アクセス技術へのハンドオーバをサポートする場合に、ユーザ装置は、モバイル通信ネットワークのハンドオーバ機能の存在の発見によってハンドオーバを成功させる。従って、より少ない電力消費によって、及び接続失敗の欠如（又は少なくとも数の減少）によって、ユーザの利便性が改善される。
【００４１】
更に、本発明は、モバイル通信ネットワークのハンドオーバ機能を発見するためのコンピュータプログラムに関し、コンピュータプログラムは、本発明による方法を実行するためのコンピュータ可読プログラムコードを含む。
【００４２】
更に、本発明は、モバイル通信ネットワークのハンドオーバ機能を発見するためのコンピュータプログラム製品に関し、コンピュータプログラム製品は記憶媒体を含み、本発明によるコンピュータプログラムは、記憶媒体に記憶される。
【００４３】
本発明のこうした及び他の特徴、機能及び利点は、例えば、本発明の原理を例示する添付の図面と併せて、以下の詳細な説明から明らかになるであろう。この説明は、発明の範囲を限定することなく、例示のためにのみ与えられる。以下で引用される参照図は添付の図面を参照する。
【図面の簡単な説明】
【００４４】
【図１】本発明によるシステムを概略的に示し、システムはモバイル通信ネットワーク及びユーザ装置を含む。
【図２】無線アクセスポイントを介するモバイル通信ネットワークのコアネットワークとユーザ装置とのインターネットプロトコル（ＩＰ）通信のために使用されるＷｉＦｉコーリングプロトコルを概略的に示す。
【図３】モバイル通信ネットワークへのユーザ装置のアタッチプロシージャを概略的に示し、ユーザ装置は無線アクセスポイントを介してアタッチされる。
【図４】モバイル通信ネットワークへのユーザ装置のアタッチプロシージャを概略的に示し、ユーザ装置はモバイル通信ネットワークのアクセスネットワークを介してアタッチされる。
【発明を実施するための形態】
【００４５】
本発明は、特定の実施形態に関して及び所定の図面を参照して記載されているが、本発明はそれらによって限定されるものではなく、請求項によってのみ限定される。記載された図面は、単なる概略であり、非制限的である。図面において、一部の要素のサイズは、例示目的のため、誇張されており、尺度で描かれていない場合がある。
【００４６】
単一の名詞を参照するときに定冠詞又は不定冠詞、例えば、“ａ”，“ａｎ”，“ｔｈｅ”が使用されるが、これは特段の記載が無ければその名詞の複数形を含んでいる。
【００４７】
更に、説明及び請求項における第１、第２、及び第３等の用語は、類似の要素間を区別するために使用されるのであって、必ずしも連続性又は時間的順序を記載するために使用されない。このように使用される用語は適切な状況下で交換可能であり、本明細書に記載の発明の実施形態は本明細書に記載の又は例示された他の順番で動作可能であることが理解されるべきである。
【００４８】
図１において、本発明によるシステムが概略的に示されており、システムは、モバイル通信ネットワーク１００及びユーザ装置２０を含む。モバイル通信ネットワーク１００は、アクセスネットワーク１１０（又は３ＧＰＰ無線アクセスネットワーク１１０）及びコアネットワーク１２０を含む。モバイル通信ネットワーク１００へのアクセスを提供するためのアクセスネットワーク１１０（又は３ＧＰＰ無線アクセスネットワーク１１０）の代わりに、モバイル通信ネットワーク１００は、少なくとも１つの無線アクセスポイント１３０を備える（又は割り当てられ又はそれに関連する）。簡潔性のため、１つの無線アクセスポイント１３０のみが図１に示されている。典型的には、無線アクセスポイント１３０は、外部パケットデータネットワーク１４０、例えば、インターネットに接続される。
【００４９】
コアネットワーク１２０は、パケットデータコアネットワーク１２２と共にホーム・ロケーション・レジスタ／ホーム・サブスクライバ・サーバ（ＨＬＲ／ＨＳＳ）１２９、認証・許可・課金ノード（ａｕｔｈｅｎｔｉｃａｔｉｏｎ，  ａｕｔｈｏｒｉｚａｔｉｏｎ，  ａｎｄ  ａｃｃｏｕｎｔｉｎｇ  ｎｏｄｅ；ＡＡＡ）１２７及びポリシー及び課金規則機能（ｐｏｌｉｃｙ  ａｎｄ  ｃｈａｒｇｉｎｇ  ｒｕｌｅｓ  ｆｕｎｃｔｉｏｎ；ＰＣＲＦ）１２８を備える。パケットデータコアネットワーク１２２は、３ＧＰＰアクセスネットワーク１１０に関連するネットワークノード、特に、１つのモバイル管理エンティティ（ＭＭＥ）１２４又は（典型的には、異なる地理領域又はモバイル通信ネットワーク１００の部分に関して）複数のモバイル管理エンティティ（ＭＭＥ）１２４を備える。図１の例示では、１つだけのモバイル管理エンティティ（ＭＭＥ）１２４が示されている。更に、パケットデータコアネットワーク１２２は、ＰＤＮゲートウェイエンティティ１２５又はパケットデータネットワーク・ゲートウェイ１２５（Ｐａｃｋｅｔ  Ｄａｔａ  Ｎｅｔｗｏｒｋ（ＰＤＮ）Ｇａｔｅｗａｙ；ＰＧＷ）も備える。アクセスネットワーク１１０（又は３ＧＰＰアクセスネットワーク１１０）を介して及びモバイル管理エンティティ１２４を介してモバイル通信ネットワーク１００へのアクセスを有するユーザ装置２０は、典型的には、パケットデータネットワーク・ゲートウェイ１２５を介してＩＰマルチメディアサブシステム（ＩＭＳ）１５０に接続される。
【００５０】
パケットデータコアネットワーク１２２は、更に、エボルブド・パケット・データ・ゲートウェイ１２３、及びＷｉＦｉアクセスに関する認証・許可・課金ノード（ＷｉＦｉ−ＡＡＡ）１２６を更に備える。３ＧＰＰアクセスネットワーク１１０を使用する代わりに、ユーザ装置２０は、無線アクセスポイント１３０を介して（及び外部パケットデータネットワーク１４０を介して）モバイル通信ネットワーク１００に接続されることが可能である。この後者の場合、典型的には、ＩＰｓｅｃトンネルによって、データ伝送トンネル１３１が、一方におけるユーザ装置２０と他方におけるエボルブド・パケット・データ・ゲートウェイ１２３との間に確立される（例えば、図２の参照番号２００を参照）。更に、エボルブド・パケット・データ・ゲートウェイ１２３とパケットデータネットワーク・ゲートウェイ１２５との間にＩＰ伝送トンネル１２１が確立される。図１に示されたインターフェースは、典型的には、モバイル通信ネットワーク１００の異なる要素、及び特にデータコアネットワーク１２２の異なる要素の間に提供される。例えば、（外部パケットデータネットワーク１４０を介して）無線アクセスポイント１３０とエボルブド・パケット・データ・ゲートウェイ１２３との間にＳＷｕインターフェースが提供され、エボルブド・パケット・データ・ゲートウェイ１２３とパケットデータネットワーク・ゲートウェイ１２５との間にＳ２ｂインターフェースが提供され、エボルブド・パケット・データ・ゲートウェイ１２３とＷｉＦｉ−ＡＡＡ１２６との間にＳＷｍインターフェースが提供され、パケットデータネットワーク・ゲートウェイ１２５とＷｉＦｉ−ＡＡＡ１２６との間にＳ６ｂインターフェースが提供され、パケットデータネットワーク・ゲートウェイ１２５とＩＰマルチメディアサブシステム（ＩＭＳ）１５０との間にＳＧｉインターフェースが提供される。更に、ＨＬＲ／ＨＳＳ１２９と３ＧＰＰ  ２Ｇ／３Ｇネットワークエンティティ２１２との間にＭＡＰインターフェースが示されている。
【００５１】
図２には、ＷｉＦｉコーリングプロトコルが概略的に示されており、ユーザ装置２０及びエンハンスド・パケット・データ・ゲートウェイ（ｅＰＤＧ）１２３が示されている。ユーザ装置２０とエンハンスド・パケット・データ・ゲートウェイ（ｅＰＤＧ）１２３との間のＩＰｓｅｃトンネル２００が、ＩＰｓｅｃトンネル２００を介してユーザ装置２０にモバイル通信ネットワーク１００のサービスを提供するために使用される。更に、インターネット鍵交換（ＩＫＥ又はＩＫＥｖ２）プロトコルが参照番号２００’で示されており、インターネット鍵交換プロトコルは、ＩＰｓｅｃトンネルに対するセキュリティ・アソシエーション（ＳＡ）を確立するために使用される。
【００５２】
ユーザ装置２０とエンハンスド・パケット・データ・ゲートウェイ（ｅＰＤＧ）１２３との間のＩＰｓｅｃトンネル２００は、ボイス・オーバ・ロング・ターム・エボリューション（ＬＴＥ）（ＶｏＬＴＥ）信号伝送２０１に使用され、例えば、セッション・イニシエーション・プロトコル（ＳＩＰ）及び／又はセッション記述プロトコル（Ｓｅｓｓｉｏｎ  Ｄｅｓｃｒｉｐｔｉｏｎ  Ｐｒｏｔｏｃｏｌ；ＳＤＰ）が使用される。ユーザ装置２０とエンハンスド・パケット・データ・ゲートウェイ（ｅＰＤＧ）１２３との間のＩＰｓｅｃトンネル２００は、追加的に及び／又は代替的にメディアサービス２０２のために使用され、例えば、リアルタイム・トランスポート・プロトコル（ＲＴＰ）及び／又はリアルタイム・トランスポート・プロトコル・コントロール・プロトコル（ＲＴＰＣＰ）が使用される。ユーザ装置２０とエンハンスド・パケット・データ・ゲートウェイ（ｅＰＤＧ）１２３との間のＩＰｓｅｃトンネル２００は、追加的に及び／又は代替的に、インターネットサービス２０３のために使用され、例えば、ハイパーテキスト・トランスファー・プロトコル（ＨＴＴＰ）が使用される。
【００５３】
ＷｉＦｉコーリングは、ネットワークノードエンハンスド・パケット・データ・ゲートウェイ（ｅＰＤＧ）１２３とのＩＰｓｅｃトンネル２００を生成するためにユーザ装置２０が既存のＷｉＦｉ接続を使用することを含む。ＩＰｓｅｃトンネルは、モバイルパケットコアネットワーク１２２（図１を参照）に接続するために使用される。その後で、ＩＰｓｅｃトンネルは、電話サービスのためにインターネット・マルチメディア・サブシステム（ＩＭＳ）に登録するために使用される。エンハンスド・パケット・データ・ゲートウェイ（ｅＰＤＧ）ベースのＷｉＦｉコーリングは、ロング・ターム・エボリューション（ＬＴＥ）とＷｉＦｉアクセスとの間のハンドオーバのサポートを含む。ハンドオーバプロシージャの間に、ユーザ装置２０は、アイドル状態において又はボイス・オーバＬＴＥ（ＶｏＬＴＥ）／ＷｉＦｉコールの間にアクセスネットワーク１４０とＬＴＥアクセスネットワーク１１０との間を途切れずに移動する。それによって、ユーザ装置２０のインターネットプロトコル（ＩＰ）アドレスは変わらず、メディア及び信号伝達のためのベアラは新しいアクセスに持ち越される。ここで「新しいアクセス」とは、特に、第１の無線アクセス技術からのハンドオーバの成功後の第２の無線アクセス技術の使用、又は第２の無線アクセス技術からのハンドオーバの成功後の第１の無線アクセス技術の使用の何れかを意味する。各ハンドオーバプロシージャは、ユーザ装置２０によって開始され、且つユーザ装置及びネットワーク、特に、モバイル通信ネットワーク１００の両方からの特定のサポートを要求する。ネットワークの内部構造に関連する異なる種類の課題のために、ネットワークがハンドオーバサポートを欠いているが、ユーザ装置２０がハンドオーバをサポートしている可能性が有る。
【００５４】
本発明によれば、ユーザ装置２０によるネットワークハンドオーバ機能の動的発見によって、ハンドオーバプロシージャは、成功するか又はユーザ装置２０によって全く開始されないかの何れかであり、典型的には失敗しない。本発明によれば、動的プロシージャは、ネットワークがロング・ターム・エボリューション（ＬＴＥ）とＷｉＦｉ無線アクセス技術との間のハンドオーバをサポートするかどうかをユーザ装置２０が発見するように定義される。これは、特に、ユーザ装置２０がモバイル通信ネットワーク１００からハンドオーバ機能指示を受信し、モバイル通信ネットワーク１００がロング・ターム・エボリューション（ＬＴＥ）とＷｉＦｉ無線アクセス技術との間のハンドオーバをサポートすることをモバイル通信ネットワーク１００が示した場合にだけ、ユーザ装置２０がハンドオーバを開始することを意味する。
【００５５】
図３及び４には、モバイル通信ネットワーク１００へのユーザ装置２０のアタッチプロシージャが示されており、ユーザ装置２０は、無線アクセスポイント１３０（図３）を介して又はモバイル通信ネットワーク１００（図４）を介してアタッチされる。本発明の好ましい実施形態によれば、方法は動的発見を含んでおり、ユーザ装置２０は、動的発見プロシージャの開始に応じてモバイル通信ネットワーク１００からハンドオーバ機能情報を受信し、動的発見プロシージャは、特に、モバイル通信ネットワーク１００のアクセスネットワーク１１０又は無線アクセスポイント１３０の何れかへのユーザ装置２０のアタッチ中に開始される。本発明によれば、ユーザ装置２０は、アタッチプロシージャの間にモバイル通信ネットワーク１００のハンドオーバ機能を発見することが好ましい。これは、特に、標準的ハンドオーバプロシージャがハンドオーバ機能指示を伝達するように強化されることを意味する。
【００５６】
図３には、アタッチプロシージャが示されており、ユーザ装置２０は、信頼できないＷｉＦｉ上でエンハンスド・パケット・データ・ゲートウェイ（ｅＰＤＧ）１２３を介してモバイルパケットコア１２２にアタッチされる。アタッチプロシージャにおいて、ユーザ装置２０は、無線アクセスポイント１３０及びエボルブド・パケット・データ・ゲートウェイ１２３を使用してモバイル通信ネットワーク１００に（特に、モバイル通信ネットワーク１００のモバイルパケットコアネットワーク１２２に）アタッチされる。図３は、ユーザ装置２０、エボルブド・パケット・データ・ゲートウェイ１２３、認証・許可・課金ノード（ＡＡＡ）１２７、ポリシー及び課金規則機能（ＰＣＲＦ）１２８、パケットデータネットワーク・ゲートウェイ１２５、及びホーム・ロケーション・レジスタ／ホーム・サブスクライバ・サーバ（ＨＬＲ／ＨＳＳ）１２９の間の通信図に対応する。
【００５７】
第１の処理ステップにおいて、ユーザ装置２０は、“ＡＰ  ａｔｔａｃｈ”によって図３に示されている無線アクセスポイント１３０にアタッチされる。第２の処理ステップにおいて、ユーザ装置２０は、ＩＫＥｖ２  ＳＡ＿ＩＮＩＴ＿ＲＱメッセージをエボルブド・パケット・データ・ゲートウェイ１２３に送信して、ＩＰｓｅｃトンネルの開始を要求する。第３の処理ステップにおいて、エボルブド・パケット・データ・ゲートウェイ１２３は、ＩＫＥｖ２  ＳＡ＿ＩＮＩＴ  ＲＳＰメッセージをユーザ装置２０に送信し、これによって２重矢印“ＩＫＥｖ２  ＳＡ”で示されたユーザ装置２０とエボルブド・パケット・データ・ゲートウェイ１２３との間のセキュリティ・アソシエーション（ＳＡ）が確立される。第４の処理ステップにおいて、ユーザ装置２０は、ＩＫＥｖ２  Ａｕｔｈ＿ＲＱ（認証要求）をエボルブド・パケット・データ・ゲートウェイ１２３に送信する。第５の処理ステップにおいて、エボルブド・パケット・データ・ゲートウェイ１２３は、ＤＥＲ  （Ｄｉａｍｅｔｅｒ  ＥＡＰ  （拡張認証プロトコル；Ｅｘｔｅｎｓｉｂｌｅ  Ａｕｔｈｅｎｔｉｃａｔｉｏｎ  Ｐｒｏｔｏｃｏｌ）要求）を認証・許可・課金ノード（ＡＡＡ）１２７に送信する。第６の処理ステップにおいて、認証・許可・課金ノード（ＡＡＡ）１２７は、ＭＡＲ（マルチメディア認証要求）をホーム・ロケーション・レジスタ／ホーム・サブスクライバ・サーバ（ＨＬＲ／ＨＳＳ）１２９に送信する。第７の処理ステップにおいて、ホーム・ロケーション・レジスタ／ホーム・サブスクライバ・サーバ（ＨＬＲ／ＨＳＳ）１２９は、ＭＡＡ（マルチメディア認証応答；Ｍｕｌｔｉｍｅｄｉａ  Ａｕｔｈｅｎｔｉｃａｔｉｏｎ  Ａｎｓｗｅｒ）を認証・許可・課金ノード（ＡＡＡ）１２７に送信する。第８の処理ステップにおいて、認証・許可・課金ノード（ＡＡＡ）１２７は、ＤＥＡ（Ｄｉａｍｅｔｅｒ  ＥＡＰ  Ａｎｓｗｅｒ）をエボルブド・パケット・データ・ゲートウェイ１２３に送る。第９の処理ステップにおいて、エボルブド・パケット・データ・ゲートウェイ１２３は、ＩＫＥｖ２  ＡＵＴＨ＿ＲＳＰ（認証応答）をユーザ装置２０に送信する。第１０の処理ステップにおいて、ユーザ装置２０は、認証と鍵合意プロトコル（Ａｕｔｈｅｎｔｉｃａｔｉｏｎ  ａｎｄ  Ｋｅｙ  Ａｇｒｅｅｍｅｎｔ  ｐｒｏｔｏｃｏｌ；ＡＫＡ）を実行する。第１１の処理ステップにおいて、ユーザ装置２０は、ＩＫＥｖ２  ＡＵＴＨ＿ＲＱ（認証要求）をエボルブド・パケット・データ・ゲートウェイ１２３に送信する。第１２の処理ステップにおいて、エボルブド・パケット・データ・ゲートウェイ１２３は、ＤＥＲを認証・許可・課金ノード（ＡＡＡ）１２７に送信する。第１３の処理ステップにおいて、認証・許可・課金ノード（ＡＡＡ）１２７は、図３において“ＲＥＳ＝ＸＲＥＳ？”で示されている検証ステップを実行する。第１４の処理ステップにおいて、認証・許可・課金ノード（ＡＡＡ）１２７は、ＳＡＲメッセージ（Ｓｅｒｖｅｒ  Ａｓｓｉｇｎｍｅｎｔ  Ｒｅｑｕｅｓｔ）をホーム・ロケーション・レジスタ／ホーム・サブスクライバ・サーバ（ＨＬＲ／ＨＳＳ）１２９に送信する。第１５の処理ステップにおいて、ホーム・ロ��ーション・レジスタ／ホーム・サブスクライバ・サーバ（ＨＬＲ／ＨＳＳ）１２９は、ＳＡＡメッセージ（Ｓｅｒｖｅｒ  Ａｓｓｉｇｎｍｅｎｔ  Ａｎｓｗｅｒ）を認証・許可・課金ノード（ＡＡＡ）１２７に送信する。第１６の処理ステップにおいて、認証・許可・課金ノード（ＡＡＡ）１２７は、ＤＥＡをエボルブド・パケット・データ・ゲートウェイ１２３に送信する。第１７の処理ステップにおいて、エボルブド・パケット・データ・ゲートウェイ１２３は、ＩＫＥｖ２  ＡＵＴＨ＿ＲＳＰ（認証応答）をユーザ装置２０に送信する。ユーザ装置２０からエボルブド・パケット・データ・ゲートウェイ１２３への更なるＩＫＥｖ２  ＡＵＴＨ＿ＲＱ（認証要求）が、図３に示されている更なる処理ステップを引き起こし、その結果、ユーザ装置２０とエボルブド・パケット・データ・ゲートウェイ１２３との間のデータ伝送トンネル１３１（ＩＰｓｅｃトンネル）、及びエボルブド・パケット・データ・ゲートウェイ１２３とパケットデータネットワーク・ゲートウェイ１２５との間のＩＰ伝送トンネル１２１の両方が確立されるまで（図１を参照）、エボルブド・パケット・データ・ゲートウェイ１２３からユーザ装置２０への更なるＩＫＥｖ２  ＡＵＴＨ＿ＲＳＰがもたらされる。
【００５８】
本発明の一実施形態によれば、ユーザ装置２０は、エボルブド・パケット・データ・ゲートウェイ１２３（即ち、モバイルオペレータドメインのネットワーク要素）へのＩＰｓｅｃトンネルを生成するために（無線アクセスポイント１３０への）既存のＷｉＦｉ接続を使用する。エボルブド・パケット・データ・ゲートウェイ１２３（又はｅＰＤＧ）を介して、ユーザ装置２０は、モバイル・エンハンスド・パケット・コア（ＥＰＣ）１２２に接続して、マルチメディア電話サービスのためにＩＭＳ１５０に登録する。信頼できないＷｉＦｉ上でパケット・データ・ゲートウェイ（ｅＰＤＧ）１２３を介してモバイルパケットコア１２２へのアタッチ中に、ユーザ装置２０は、ＷｉＦｉ無線アクセス技術からロング・ターム・エボリューション（ＬＴＥ）無線アクセス技術へのハンドオーバのためのネットワーク機能を発見する。本発明によれば、３ＧＰＰ  ＴＳ２３．４０２及びＴＳ２４．３０２に定義されたアタッチプロシージャが、好ましくは、ユーザ装置２０にハンドオーバ機能情報を伝達するように強化される。本発明の実施形態によれば、インターネット鍵交換（ＩＫＥ又はＩＫＥｖ２）プロトコルは、ハンドオーバ機能指示をユーザ装置２０に送信するために使用される。エンハンスドパケットデータゲートウェイからユーザ装置２０に送られたＩＫＥ  ＳＡ＿ＩＮＩＴ内のＮｏｔｉｆｙペイロードは、好ましくは、Ｎｏｔｉｆｙペイロードにおけるハンドオーバ機能を示すために使用される。本発明の一例によれば、ハンドオーバＮｏｔｉｆｙペイロードは、以下の情報を含む。
【００５９】
“Type Payload: Notify (41)
Next payload: Notify (41)
0... ....= Critical Bit: Not Critical
Payload length: 28
Protocol ID: IKE (1)
SPI Size: 0
Notify Message Type: Handover_Indication (xxxxx)
Notification DATA: True”
【００６０】
本発明の一実施形態によれば、ハンドオーバ機能情報は、ＩＫＥ  ＩＮＦＯＲＭＡＴＩＯＮＡＬメッセージの中で、モバイル通信ネットワーク１００からユーザ装置２０に送られる。
【００６１】
図４には、アタッチプロシージャが示されており、ユーザ装置２０は、ロング・ターム・エボリューション（ＬＴＥ）アタッチプロシージャを介してモバイルパケットコア１２２にアタッチされる。ロング・ターム・エボリューション（ＬＴＥ）アタッチプロシージャの間、ユーザ装置２０は、モバイル通信ネットワーク１００のアクセスネットワーク１１０を使用してモバイル通信ネットワーク１００にアタッチされる。図４は、ユーザ装置２０、無線アクセスネットワーク１１０のｅＮｏｄｅＢ１１１、（新しい）モバイル管理エンティティ（ＭＭＥ）１２４、更なる（又は古い）モバイル管理エンティティ（ＭＭＥ）又はＳＧＳＮ１２４’、ＥＩＲ１２４’’’、サービングゲートウェイ（サービングＧＷ）１２４’’、ＰＤＮゲートウェイエンティティ１２５又はパケットデータネットワーク・ゲートウェイ１２５（ＰＧＷ−パケット・データ・ネットワーク（ＰＤＮ）ゲートウェイ）、ポリシー及び課金規則機能（ＰＣＲＦ）１２８、及びホーム・ロケーション・レジスタ／ホーム・サブスクライバ・サーバ（ＨＬＲ／ＨＳＳ）１２９の間の通信に対応する。ロング・ターム・エボリューション（ＬＴＥ）アタッチプロシージャは、以下の処理ステップ３０１から３２６を含む。
【００６２】
第１の処理ステップ３０１において、ユーザ装置２０は、無線アクセスネットワーク１１０のｅＮｏｄｅＢ１１１にＡｔｔａｃｈ  Ｒｅｑｕｅｓｔメッセージを送信する。第２の処理ステップ３０２において、ｅＮｏｄｅＢ１１１は、Ａｔｔａｃｈ  Ｒｅｑｕｅｓｔをモバイル管理エンティティ（ＭＭＥ）１２４に送信する。第３の処理ステップ３０３において、モバイル管理エンティティ（ＭＭＥ）１２４は、Ｉｄｅｎｔｉｆｉｃａｔｉｏｎ  Ｒｅｑｕｅｓｔメッセージを更なるモバイル管理エンティティ又はＳＧＳＮ１２４’に送信し、これはＩｄｅｎｔｉｆｉｃａｔｉｏｎ  Ｒｅｓｐｏｎｓｅメッセージを更なる第３の処理ステップ３０３’においてモバイル管理エンティティ１２４に送信することによって応答する。第４の処理ステップ３０４において、モバイル管理エンティティ（ＭＭＥ）１２４は、Ｉｄｅｎｔｉｔｙ  Ｒｅｑｕｅｓｔメッセージをユーザ装置２０に送信し、これはｉｄｅｎｔｉｔｙ  Ｒｅｓｐｏｎｓｅメッセージを更なる第４の処理ステップ３０４’において送信することによって応答する。ロング・ターム・エボリューション（ＬＴＥ）アタッチプロシージャは、第５の処理ステップ３０５ａにおけるユーザ装置２０とモバイル管理エンティティ（ＭＭＥ）１２４との間、及びモバイル管理エンティティ（ＭＭＥ）１２４とホーム・ロケーション・レジスタ／ホーム・サブスクライバ・サーバ（ＨＬＲ／ＨＳＳ）１２９との間の認証／セキュリティプロシージャ、並びに第５の処理ステップ３０５ｂにおけるユーザ装置２０とモバイル管理エンティティ（ＭＭＥ）１２４との間の後続の識別要求／応答プロシージャを継続し、これは後に別の更なる第５の処理ステップ３０５ｂ’におけるモバイル管理エンティティ１２４とＥＩＲ１２４’’’との間のＭＥ識別チェックプロシージャが続く。第６の処理ステップ３０６において、モバイル管理エンティティ（ＭＭＥ）１２４は、Ｃｉｐｈｅｒｅｄ  Ｏｐｔｉｏｎｓ  Ｒｅｑｕｅｓｔメッセージをユーザ装置２０に送信し、これは更なる第６の処理ステップ３０６’においてＣｉｐｈｅｒｅｄ  Ｏｐｔｉｏｎｓ  Ｒｅｓｐｏｎｓｅメッセージよって応答する。ブロックＥ内で、第７の処理ステップ３０７が示されており、モバイル管理エンティティ（ＭＭＥ）１２４からサービングＧＷ１２４’’にＤｅｌｅｔｅ  Ｓｅｓｓｉｏｎ  Ｒｅｑｕｅｓｔメッセージが送信される。ブロックＥ内で、更にブロックＡが示されており、これは、サービングＧＷ１２４’’からパケットデータネットワーク・ゲートウェイ１２５に送信されたメッセージ、更に第７の処理ステップ３０７’において、ＰＤＮ  ＧＷ１２５及びＰＣＲＦ１２８の間でＰＣＥＦによって開始されたＩＰ−ＣＡＮ  Ｓｅｓｓｉｏｎ  Ｔｅｒｍｉｎａｔｉｏｎ、及びＰＤＮ  ＧＷ１２５からサービングＧＷ１２４’’に送信された後続のメッセージを含む。別の第７の処理ステップ３０７’’において、サービングＧＷ１２４’’からモバイル管理エンティティ（ＭＭＥ）１２４にＤｅｌｅｔｅ  Ｓｅｓｓｉｏｎ  Ｒｅｓｐｏｎｓｅが送信される。第８の処理ステップ３０８において、モバイル管理エンティティ（ＭＭＥ）１２４からホーム・ロケーション・レジスタ／ホーム・サブスクライバ・サーバ（ＨＬＲ／ＨＳＳ）１２９にＵｐｄａｔｅ  Ｌｏｃａｔｉｏｎ  Ｒｅｑｕｅｓｔメッセージが送信される。第９の処理ステップ３０９において、ホーム・ロケーション・レジスタ／ホーム・サブスクライバ・サーバ（ＨＬＲ／ＨＳＳ）１２９は、Ｃａｎｃｅｌ  Ｌｏｃａｔｉｏｎメッセージを更なるモバイル管理エンティティ又はＳＧＳＮ１２４’に送信し、これは第９の処理ステップ３０９’においてＣａｎｃｅｌ  Ｌｏｃａｔｉｏｎ  Ａｃｋｎｏｗｌｅｄｇｅメッセージで応答する。ブロックＦ内で、第１０の処理ステップ３１０が示されており、モバイル管理エンティティ又はＳＧＳＮ１２４’からサービングＧＷ１２４’’にＤｅｌｅｔｅ  Ｓｅｓｓｉｏｎ  Ｒｅｑｕｅｓｔが送信される。ブロックＦはブロックＢを更に含み、サービングＧＷ１２４’’からＰＤＮ  ＧＷ１２５にメッセージが送信され、ブロックＢは、更なる第１０の処理ステップ３１０’において、ＰＤＮ  ＧＷ１２５とＰＣＲＦ１２８との間でＰＣＥＦによって開始されたＩＰ  ＣＡＮ  Ｓｅｓｓｉｏｎ  Ｔｅｒｍｉｎａｔｉｏｎを更に含む。その後、ＰＤＮ  ＧＷ１２５からサービングＧＷ１２４’’にメッセージが送信される。別の第１０の処理ステップ３１０’’において、サービングＧＷ１２４’’からモバイル管理エンティティ又はＳＧＳＮ１２４’にＤｅｌｅｔｅ  Ｓｅｓｓｉｏｎ  Ｒｅｓｐｏｎｓｅメッセージが送信される。第１１の処理ステップ３１１において、ホーム・ロケーション・レジスタ／ホーム・サブスクライバ・サーバ（ＨＬＲ／ＨＳＳ）１２９からモバイル管理エンティティ（ＭＭＥ）１２４にＵｐｄａｔｅ  Ｌｏｃａｔｉｏｎ  Ａｃｋｎｏｗｌｅｄｇｅメッセージが送信される。第１２の処理ステップ３１２において、モバイル管理エンティティ（ＭＭＥ）１２４からサービングＧＷ１２４’’にＣｒｅａｔｅ  Ｓｅｓｓｉｏｎ  Ｒｅｑｕｅｓｔが送信され、それによって第１３の処理ステップ３１３を含むブロックＣが開始され、サービングＧＷ１２４’’からＰＤＮ  ＧＷ１２５にＣｒｅａｔｅ  Ｓｅｓｓｉｏｎ  Ｒｅｑｕｅｓｔメッセージが送信され、その後にＰＤＮ  ＧＷ１２５とＰＣＲＦ１２８との間でＰＣＥＦによって開始されたＩＰ−ＣＡＮ  Ｓｅｓｓｉｏｎ  Ｅｓｔａｂｌｉｓｈｍｅｎｔ／Ｍｏｄｉｆｉｃａｔｉｏｎが続いて、第１４の処理ステップ３１５において、ＰＤＮ  ＧＷ１２５からサービングＧＷ１２４’’にＣｒｅａｔｅ  Ｓｅｓｓｉｏｎ  Ｒｅｓｐｏｎｓｅメッセージが送信される。更なる第１５の処理ステップ３１５’において、ＰＤＮ  ＧＷ１２５からサービングＧＷ１２４’’に（ハンドオーバが無い場合）Ｆｉｒｓｔ  Ｄｏｗｎｌｉｎｋ  Ｄａｔａメッセージが送信される。第１６の処理ステップ３１６において、サービングＧＷ１２４’’からモバイル管理エンティティ（ＭＭＥ）１２４にＣｒｅａｔｅ  Ｓｅｓｓｉｏｎ  Ｒｅｓｐｏｎｓｅメッセージが送信され、第１７の処理ステップ３１７において、モバイル管理エンティティ（ＭＭＥ）１２４からｅＮｏｄｅＢ１１１にＡｔｔａｃｈ  Ａｃｃｅｐｔを含むＩｎｉｔｉａｌ  Ｃｏｎｔｅｘｔ  Ｓｅｔｕｐ  Ｒｅｑｕｅｓｔメッセージが送信される。第１８の処理ステップ３１８において、ｅＮｏｄｅＢ１１１は、ＲＲＣ  Ｃｏｎｎｅｃｔｉｏｎ  ＲｅｃｏｎｆｉｇｕｒａｔｉｏｎメッセージをｅＮｏｄｅＢ１１１からユーザ装置２０に送信し、これは第１９の処理ステップ３１９において、ＲＲＣ  Ｃｏｎｎｅｃｔｉｏｎ  Ｒｅｃｏｎｆｉｇｕｒａｔｉｏｎ  Ｃｏｍｐｌｅｔｅメッセージで応答する。別の第２０の処理ステップ３２０において、ｅＮｏｄｅＢ１１１からモバイル管理エンティティ（ＭＭＥ）１２４にＩｎｉｔｉａｌ  Ｃｏｎｔｅｘｔ  Ｓｅｔｕｐ  Ｒｅｓｐｏｎｓｅメッセージが送信される。第２１の処理ステップ３２１において、ユーザ装置２０は、ｅＮｏｄｅＢ１１１にＤｉｒｅｃｔ  Ｔｒａｎｓｆｅｒメッセージを送信する。その後、ｅＮｏｄｅＢ１１１は、第２２の処理ステップ３２２において、モバイル管理エンティティ（ＭＭＥ）１２４にＡｔｔａｃｈ  ｃｏｍｐｌｅｔｅを送信する。更なる第２２の処理ステップ３２２’において、ユーザ装置２０からサービングＧＷ１２４’’に、そしてＰＤＮ  ＧＷ１２５に  Ｆｉｒｓｔ  Ｕｐｌｉｎｋ  Ｄａｔａメッセージが送信される。第２３の処理ステップ３２３において、モバイル管理エンティティ（ＭＭＥ）１２４からサービングＧＷ１２４’’にＭｏｄｉｆｙ  Ｂｅａｒｅｒ  Ｒｅｑｕｅｓｔメッセージが送信され、その後に、サービングＧＷ１２４’’からＰＤＮ  ＧＷ１２５にＭｏｄｉｆｙ  Ｂｅａｒｅｒ  Ｒｅｑｕｅｓｔメッセージが送信される更なる第２３の処理ステップ３２３ａと、ＰＤＮ  ＧＷ１２５からサービングＧＷ１２４’’にＭｏｄｉｆｙ  ｂｅａｒｅｒ  Ｒｅｓｐｏｎｓｅメッセージが送信される別の第２３の処理ステップ３２３ｂとを含むブロックＤが続く。その後、第２４の処理ステップ３２４において、サービングＧＷ１２４’’からモバイル管理エンティティ（ＭＭＥ）１２４にＭｏｄｉｆｙ  ｂｅａｒｅｒ  Ｒｅｓｐｏｎｓｅメッセージが送信される。更なる第２４の処理ステップ３２４’において、サービングＧＷ１２４’’を介してＰＤＮ  ＧＷ１２５からユーザ装置１２５にＦｉｒｓｔ  Ｄｏｗｎｌｉｎｋ  Ｄａｔａメッセージが送信される。第２５の処理ステップ３２５において、Ｎｏｔｉｆｙ  Ｒｅｑｕｅｓｔメッセージがモバイル管理エンティティ（ＭＭＥ）１２４からホーム・ロケーション・レジスタ／ホーム・サブスクライバ・サーバ（ＨＬＲ／ＨＳＳ）１２９に送信され、これは第２６の処理ステップ３２６においてＮｏｔｉｆｙ  Ｒｅｓｐｏｎｓｅメッセージで応答する。
【００６３】
本発明の一実施形態によれば、モバイル通信ネットワーク１００のロング・ターム・エボリューション（ＬＴＥ）アクセスネットワーク１１０へのアタッチ中に、ユーザ装置２０は、ロング・ターム・エボリューション（ＬＴＥ）無線アクセス技術からＷｉＦｉ無線アクセス技術へのハンドオーバのためのモバイル通信ネットワーク１００の機能を発見する。本発明によれば、３ＧＰＰ  ＴＳ２３．４０１及びＴＳ２４．３０１に定義されたロング・ターム・エボリューション（ＬＴＥ）アタッチプロシージャが、ユーザ装置２０にハンドオーバ機能を送信するように強化される。本発明の一実施形態によれば、ユーザ装置２０にハンドオーバ機能情報を送信するためにＡＴＴＡＣＨ  ＡＣＣＥＰＴメッセージが使用される。
【図１】
0006522799.tif 000002
【図２】
0006522799.tif 000003
【図３】
0006522799.tif 000004
【図４】
0006522799.tif 000005